(57)【要約】【課題】１つの電柱への装柱作業を容易にした複数からなる可搬式柱上機器を提供することにある。【解決手段】１つの電柱２に複数からなる可搬式柱上機器１，５をそれぞれ取り付ける。可搬式柱上機器１に、バンド３，４を用いて電柱２の周囲を締め付けて装柱されるようにバンド挿通孔１１a1，１１a2（１１b1，１１b2）が形成された装柱金具１１ａ，１１ｂを取り付ける。可搬式柱上機器５に、バンド３に吊り下げられた状態で装柱されるように取付金具５１を設ける。【選択図】図１
2008113478.tif 000002
【特許請求の範囲】
【請求項１】
複数からなり、１つの電柱にそれぞれ取り付けられる可搬式柱上機器であって、
前記複数のうちの１つには、２つのバンドを用いて前記電柱の周囲を締め付けて装柱されるように前記２つのバンドをそれぞれ通すバンド挿通孔を形成した装柱金具が取り付けられ、
前記複数のうちの残りには、前記２つのバンドの１つに吊り下げられた状態で装柱されるように取付金具が設けられた可搬式柱上機器。
【発明の詳細な説明】
【技術分野】
【０００１】
本発明は、複数からなり、１つの電柱にそれぞれ取り付けられる可搬式柱上機器に関するものである。
【背景技術】
【０００２】
配電線を懸架する電柱には区分開閉器がその上部に装注されると共に、この区分開閉器を開閉制御する開閉器子局が区分開閉器より下側に装柱されている。また、配電線で発生した地絡故障点が取付位置を基準として電源側か負荷側かの方向表示をして地絡故障点の検出を行う地絡検出表示装置が開閉器子局を装柱している電柱に新たに装注されることがある。または、これらの開閉器子局及び地絡検出表示装置が同じ電柱に新規に装柱されることがある。ここで、このような開閉器子局及び地絡検出表示装置を可搬式柱上機器という。
【０００３】
可搬式柱上機器を電柱に装注させる場合、電柱を締め付けるように構成されたバンドを用いてそれぞれ取り付けられている。このようにバンドを用いて可搬式柱上機器を電柱に取り付けることは、例えば、特許文献１に示されている。
【０００４】
可搬式柱上機器を長期に安定して取り付けるために、２つのバンドが用いられている。この場合、２つのバンドは電柱の長手方向に対して上下に離隔させている。
【０００５】
図２（Ａ）は従来の２つの可搬式柱上機器が装注されている状態を示す正面図、（Ｂ）はその上面図である。図示するように、例えば２つの可搬式柱上機器の一方の開閉器子局１には、先端側に延伸した面が電柱２の曲面と当接されるように板材を「く」の字状に形成した一対の装柱金具１１ａ，１１ｂがそのケース側面にそれぞれ起立された状態で溶接により取り付けられている。装柱金具１１ａ，１１ｂの起立側の平坦面には、上下に離隔してバンド挿通孔１１a1，１１a2（１１b1，１１b2）が形成されており、例えば金属製のバンド３，４をそれぞれ通して電柱２の周囲を締め付けるようにして開閉器子局１が取付けられている。また、他方の地絡検出表示装置５には、上記と同様に形成された一対の装柱金具５１ａ，５１ｂがそのケース側面にそれぞれ起立された状態で溶接により取り付けられている。装柱金具５１ａ，５１ｂの起立側の平坦面には、上下に離隔してバンド挿通孔５１a1，５１b1が形成されており、例えば金属製のバンド６．７を通して電柱２の周囲を締め付けるようにして地絡検出表示装置５が取り付けられている。
【０００６】
バンド３，４，６，７は共に同じものであり、例えば、バンド３は長手方向に数多くの係止孔３a1，…が形成されたバンド本体３ａと、係止孔３a1と係止させる係止部３b1が形成されたボルト３ｂと、バンド本体３ａの一端に形成されてボルト３ｂを貫通させて支持させる支持部３ｃと、係止部３b1を１つの係止孔３a1に係止させた状態で締め付け状態を調整させるナット３ｄとから構成されている。
【特許文献１】実開平７−２７２４３号公報（図２）
【発明の開示】
【発明が解決しようとする課題】
【０００７】
従来では、２つの可搬式柱上機器のうちの新設分に対し、既設分と同じ構成にしているために、また、２つの可搬式柱上機器の新設分に対し、共に同じ構成にしているために、装柱作業が煩雑になるという問題が生じる。
【０００８】
本発明の目的は、１つの電柱への装柱作業を容易にした複数からなる可搬式柱上機器を提供することにある。
【課題を解決するための手段】
【０００９】
第１の発明は、複数からなり、１つの電柱にそれぞれ取り付けられる可搬式柱上機器を対象とする。複数のうちの１つには、２つのバンドを用いて電柱の周囲を締め付けて装柱されるように２つのバンドをそれぞれ通すバンド挿通孔を形成した装柱金具が取り付けられ、複数のうちの残りには、２つのバンドの１つに吊り下げられた状態で装柱されるように取付金具が設けられるようにしたものである。
【発明の効果】
【００１０】
以上のように、第１の発明によれば、２つの可搬式柱上機器のうちの一方に用いたバンドを共用するようにしたので、２つの可搬式柱上機器のうちの他方を容易に装柱させることができると共に、装柱コストを低減させることができ、また、他方のバンドが不要になるので、廉価に製作することができる。
【発明を実施するための最良の形態】
【００１１】
図１（Ａ）は本発明に係る２つの可搬式柱上機器が装注されている状態を示す正面図、（Ｂ）はその上面図である。図示するように、開閉器子局１には、先端側に延伸した面が電柱２の曲面と当接されるように板材を「く」の字状に形成した一対の装柱金具１ａ，１ｂがそのケース側面にそれぞれ起立された状態で溶接により取り付けられている。装柱金具１１ａ，１１ｂの起立側の平坦面には、上下に離隔してバンド挿通孔１１a1，１１a2（１１b1，１１b2）が形成されており、例えば金属製のバンド３，４をそれぞれ通して電柱２の周囲を締め付けるようにして開閉器子局１が取り付けられている。地絡検出表示装置５には、Ｌ字状に形成された板状の取付金具５１がそのケース側面に基部５１１を起立させた状態で溶接により取り付けられており、取付金具５１の折曲延伸部５１２が電柱２とバンド３との間に挟まれて締め付けられるようにして地絡検出表示装置５が取り付けられている。
【００１２】
地絡検出表示装置５を新たに装柱させる場合には、開閉器子局１を取り付けているバンド３を緩め、緩めたことにより形成されるバンド３と電柱２との空間に取付金具５１の折曲延伸部５１２を差し込み、バンド３を再度締め直すようにする。
【００１３】
また、開閉器子局及び地絡検出表示装置が同じ電柱に新規に装柱させる場合には、開閉器子局１を取り付けるバンド４を先に締め付けて開閉器子局１を取り付けておき、バンド３と電柱２との間に適宜に形成させた空間に取付金具５１の延伸折曲部５１２を差し込み、バンド３を締め付けるようにして地絡検出表示装置を取り付ける。
【００１４】
上記の実施形態においては、装柱金具１１ａ，１１ｂを一対で形成したが、一体化してもよい。また、装柱金具１１ａ，１１ｂを上下方向に分離して形成し、バンド挿通孔１１a1，１１a2（１１b1，１１b2）をそれぞれ形成するようにしてもよい。さらに、可搬式柱上機器を２つとしたが、３つ以上であってもよい。
【図面の簡単な説明】
【００１５】
【図１】（Ａ）は本発明に係る２つの可搬式柱上機器が装注されている状態を示す正面図、（Ｂ）はその上面図である。
【図２】（Ａ）は従来の２つの可搬式柱上機器が装注されている状態を示す正面図、（Ｂ）はその上面図である。
【符号の説明】
【００１６】
１，５  可搬式柱上機器
２  電柱
３，４  バンド
１１ａ，１１ｂ  装柱金具
１１a1，１１a2，１１b1，１１b2  バンド挿通孔
５１  取付金具
【図１】
2008113478.tif 000003
【図２】
2008113478.tif 000004